(57)【特許請求の範囲】
【請求項１】
一般のインターネットプロトコル（IP）やATM、STM、電話網で接続されるネットワークにおいて、映像データが保存されている映像配信サーバと、IPネットワーク中継機器と、ユーザ端末とで映像配信サーバから映像データをダウンロードして閲覧する映像配信システムであって、
前記ユーザ端末は、
前記IPネットワーク中継機器に対してマルチキャスト配信要求を送信する要求送信手段と、
前記IPネットワーク中継機器からの情報を取得する通知取得手段と、
を有し、
前記IPネットワーク中継機器は、
前記マルチキャスト配信要求に対する受付可否の判定を行う受付可否判定手段と、
前記受付可否判定手段において受付を拒否すると判定された場合にのみ、前記映像配信サーバに対して、受付拒否通知用の配信要求を送信する配信要求手段と、
前記映像配信サーバから前記配信要求に対する受付拒否通知用の通知を取得すると、該受付拒否通知用の情報を前記ユーザ端末に送信する要求受付結果通知手段と、
前記受付可否判定手段において受付を拒否すると判定された場合には、記憶手段に格納されている受付拒否リストを更新し、更新された受付拒否リストを前記ユーザ端末に送信する受付拒否リスト送信手段と、
ユーザ毎に、配信を許可されているマルチキャストサービスのマルチキャストソースアドレス、マルチキャストグループアドレス、利用可能帯域情報及び配信要求の受付優先度を格納した関連情報記憶手段を任意のタイミングで参照し、前記マルチキャスト配信要求の受付を許可できる場合には、前記映像配信サーバに対して、マルチキャスト映像配信要求を送信し、取得したマルチキャスト映像データを前記ユーザ端末に配信するマルチキャスト映像データ配信手段と、
を有し、
前記映像配信サーバは、
前記IPネットワーク中継機器から前記マルチキャスト映像配信要求を受信し、該配信要求に対応するマルチキャスト映像データを該IPネットワーク中継機器に送信する通知配信手段を有する
ことを特徴とする映像配信システム。
【請求項２】
ユーザリンクの残余帯域情報を管理する帯域管理サーバを更に有し、
前記IPネットワーク中継機器の前記受付可否判定手段は、
前記帯域管理サーバに対してユーザリンクの残余帯域情報取得要求を送信することにより取得した該要求に対する残余帯域情報に基づいて、前記マルチキャスト配信要求の受付可否を判定する手段を含む
請求項１記載の映像配信システム。
【請求項３】
一般のインターネットプロトコル（IP）やATM、STM、電話網で接続されるネットワークにおいて、ユーザリンクの残余帯域情報を管理する帯域管理サーバと、映像データが保存されている映像配信サーバと、IPネットワーク中継機器と、ユーザ端末とで映像配信サーバから映像データをダウンロードして閲覧する映像配信システムであって、
前記ユーザ端末は、
前記IPネットワーク中継機器に対してマルチキャスト配信要求を送信する要求送信手段と、
前記IPネットワーク中継機器からの情報を取得する通知取得手段と、
を有し、
前記IPネットワーク中継機器は、
前記マルチキャスト配信要求に対する受付可否の判定を行う受付可否判定手段と、
前記受付可否判定手段において受付を拒否すると判定された場合にのみ、前記映像配信サーバに対して、受付拒否通知用の配信要求を送信する配信要求手段と、
前記映像配信サーバから前記配信要求に対する受付拒否通知用の通知を取得すると、該受付拒否通知用の情報を前記ユーザ端末に送信する要求受付結果通知手段と、
前記受付可否判定手段において受付を拒否すると判定された場合には、記憶手段に格納されている受付拒否リストを更新し、更新された受付拒否リストを前記ユーザ端末に送信する受付拒否リスト送信手段と、
前記帯域管理サーバに対して任意のタイミングで残余帯域情報を問い合わせ、前記マルチキャスト配信要求に対する残余帯域量に基づいて許可できる場合に、前記映像配信サーバに対してマルチキャスト映像配信要求を送信し、取得したマルチキャスト映像データを前記ユーザ端末に配信するマルチキャスト映像データ配信手段と、
を有し、
前記映像配信サーバは、
前記IPネットワーク中継機器から前記マルチキャスト映像配信要求を受信し、該配信要求に対応するマルチキャスト映像データを該IPネットワーク中継機器に送信する通知配信手段を有する
ことを特徴とする映像配信システム。
【請求項４】
前記IPネットワーク中継機器の前記受付可否判定手段は、
前記帯域管理サーバに対してユーザリンクの残余帯域情報取得要求を送信することにより取得した該要求に対する残余帯域情報に基づいて、前記マルチキャスト配信要求の受付可否を判定する手段を含む
請求項３記載の映像配信システム。
【請求項５】
一般のインターネットプロトコル（IP）やATM、STM、電話網で接続されるネットワークにおいて、映像データが保存されている映像配信サーバと、IPネットワーク中継機器と、ユーザ端末とで映像配信サーバから映像データをダウンロードして閲覧する映像配信システムにおけるＩＰネットワーク中継機器であって、
前記ユーザ端末からのマルチキャスト配信要求に対する受付可否の判定を行う受付可否判定手段と、
前記受付可否判定手段の判定結果に基づいて前記映像配信サーバに対して配信要求を送信する配信要求手段と、
前記映像配信サーバから前記配信要求に対する通知に基づいて情報を前記ユーザ端末に送信する要求受付結果通知手段と、
を有し、
前記配信要求手段は、
前記受付可否判定手段において受付を拒否すると判定された場合にのみ、前記映像配信サーバに対して、受付拒否通知用の配信要求を送信する手段と、
前記映像配信サーバに対して、マルチキャスト映像配信要求を送信する手段と、
を含み、
前記要求受付結果通知手段は、
前記受付可否判定手段において受付を拒否すると判定された場合には、記憶手段内の受付拒否リストを更新し、更新された受付拒否リストを前記ユーザ端末に送信し、配信要求の受付優先度を格納した関連情報記憶手段を任意のタイミングで参照し、前記マルチキャスト配信要求の受付を許可できる場合には、前記映像配信サーバに対してマルチキャスト映像配信要求を送信し、取得したマルチキャスト映像データを前記ユーザ端末に配信する手段、
または、
前記受付可否判定手段において受付を拒否すると判定された場合には、記憶手段内の受付拒否リストを更新し、更新された受付拒否リストを前記ユーザ端末に送信し、外部の帯域管理サーバに対して任意のタイミングで残余帯域情報を問い合わせ、前記マルチキャスト配信要求に対する残余帯域量に基づいて許可できる場合に、前記映像配信サーバに対してマルチキャスト映像配信要求を送信し、取得したマルチキャスト映像データを前記ユーザ端末に配信する手段
のいずれかを含む
ことを特徴とするIPネットワーク中継機器。
【請求項６】
請求項５に記載のIPネットワーク中継機器を構成する各手段としてコンピュータを機能させるための映像配信プログラム。
【発明の詳細な説明】
【技術分野】
【０００１】
本発明は、映像配信システム及びIP（Internet Protocol）ネットワーク機器及び映像配信プログラムに係り、特に、IPなどで接続された映像配信サーバと、帯域管理サーバと、ルータによりユーザ端末及び事業者間を接続し、地上波デジタル放送配信、ストリーミング配信などの映像配信サービスとして提供するネットワークにおいて、マルチキャスト配信データを配信する際、マルチキャスト受付制御の実施によりマルチキャスト配信データが配信されない場合に、その旨をユーザ端末に通知するための映像配信システム及びIPネットワーク機器及び映像配信プログラムに関する。
【背景技術】
【０００２】
IPTVサービスで用いられているマルチキャスト配信技術は、高帯域を要しパケット損失を生じないことを特徴とする。しかし、ネットワーク帯域幅、特にユーザリンクの帯域幅は、非常に限られている。IPネットワークで品質の保証された多様なマルチキャストサービス実現のために、利用状況と配信要求の到着頻度を考慮したマルチキャスト用帯域の確保が必要となる。したがって、IPTVサービスの効率的な実装を確実にし、サービス品質を保証するためには、マルチキャスト受付制御機能がネットワーク内に配備される必要がある。
【０００３】
IPマルチキャストは、マルチキャストデータを送信するサーバが、番組を特定するマルチキャストグループアドレス(G)を指定したマルチキャストパケットを送信し、それらの番組の配信要求を発出した受信端末にのみ転送される技術である。受信端末にのみ転送するために、送信元サーバのマルチキャストソースアドレス(S)を起点とし、その番組の受信を希望する端末を収容しているルータまでのツリー構造のトポロジを構築する経路制御技術が必要となる。配信要求において、送信元サーバ、およびマルチキャストグループアドレスの両方を指定する際、(S,G)と表記する。
【０００４】
マルチキャスト受付制御は、IPネットワークの利用状況に応じて、マルチキャスト配信要求の受付可否を判断し、帯域利用効率の向上を実現する技術である。図７に示すように、マルチキャスト受付制御では、(S,G)毎に事前設定された重みの和や帯域設定の和、ユーザ毎に事前設定された最大マルチキャスト配信要求受付数の和を考慮の上、配信要求の受付可否を判断する。
【０００５】
また、IPネットワーク中継機器には、収容されているユーザ毎に、配信を許可されているマルチキャストサービスのソースアドレスと、マルチキャストグループアドレスと、利用可能帯域に関する情報が予め設定されており、この設定情報を基にマルチキャスト受付制御を実施する方法も対象とする。IPネットワーク中継機器は、受信したマルチキャスト配信要求に含まれるマルチキャストソースアドレス、マルチキャストグループアドレス、ユーザ端末のIPアドレス情報を参照し、当該配信要求に対して許可されている利用帯域を参照する。IPネットワーク中継機器は、サービスクラス、及びサービス毎に帯域を管理し、サービスクラスの優先度に応じた閾値を用いた帯域管理を実施している。まず、IPネットワーク中継機器では、当該配信要求が該当するサービスクラスを判断し、当該サービスクラスに割り当てられる帯域の中で、受付優先度を考慮した帯域割り当てを実施する。なお、受付優先度はIPネットワーク中継機器に予め設定されているものとする。(S,G)毎に事前設定された重みの和、(S,G)毎に事前設定された帯域設定の和、ユーザ毎に事前設定された最大マルチキャスト配信要求受付数の和を考慮の上、配信要求の受付可否を判断する。
【０００６】
映像サーバは端末からのマルチキャスト参加要求を受信し、マルチキャスト受付制御によって、対地ごとのリンク残余帯域に応じて、参加要求の受付可否を判断しており、マルチキャスト参加要求を受け付けることができない場合、IPネットワーク中継機器にてマルチキャスト参加要求を廃棄するものである。なお、マルチキャスト参加要求の受付が拒否されたことは端末には通知されない。
【０００７】
従来技術のシーケンスを以下に示す。
【０００８】
図８は、従来のマルチキャスト受付制御のシーケンスを示す。同図に示す処理は、ユーザ端末１０、IPネットワーク中継機器２０、映像配信サーバ３０、帯域管理サーバ４０間で行われる。
【０００９】
ユーザ端末１０からIPネットワーク中継機器２０にマルチキャスト配信要求を送信する（ステップ１）。当該マルチキャスト配信要求には、マルチキャストソースアドレス、マルチキャストグループアドレス、ユーザ端末のIPアドレスが含まれる。
【００１０】
当該マルチキャスト配信要求を受信したIPネットワーク中継機器２０は、帯域管理サーバ４０に対して残余帯域情報取得要求を送信する（ステップ２）。当該残余帯域情報取得要求には、ソースアドレス、マルチキャストグループアドレス、ユーザ端末のIPアドレス、ユーザ端末が収容される物理回線番号、ユーザ端末が収容されるVLAN(Virtual Local Area Network)番号が含まれる。
【００１１】
IPネットワーク中継機器２０から残余帯域情報取得要求を受信した帯域管理サーバ４０は、残余帯域情報をIPネットワーク中継機器２０に返信する（ステップ３）。当該残余帯域情報にはソースアドレス、マルチキャストグループアドレス、平均使用帯域、残余帯域が含まれる。
【００１２】
IPネットワーク中継機器２０は、ユーザ端末のIPアドレス、ユーザ端末が収容される物理回線番号、ユーザが収容されるVLAN番号、許可するマルチキャストサービスのソースアドレス、許可するマルチキャストサービスのマルチキャストグループアドレス、利用可能帯域を保持しており、帯域管理サーバ４０から取得した残余帯域情報を参照して、ユーザ端末１０からの要求を受け付けるか否かを判定する（ステップ４）。このとき、受付を拒否する場合には、当該ユーザ端末１０からの配信要求を廃棄する（ステップ５）。
【００１３】
なお、帯域管理サーバ４０がない場合も想定され、この場合は、IPネットワーク中継機器２０においてユーザ毎にマルチキャスト関連情報を保持し、当該マルチキャスト関連アドレスを参照してマルチキャストサービスの受付制御を行う(例えば、非特許文献１参照)。
【先行技術文献】
【非特許文献】
【００１４】
【非特許文献１】NGNにおける帯域管理制御技術http://www.ntt.co.jp/journal/0908/files/jn200908050.pdf
【発明の概要】
【発明が解決しようとする課題】
【００１５】
しかしながら、図８に示す処理シーケンスでは、IPネットワーク中継機器が拒否されたマルチキャスト配信要求を廃棄してしまうため、ユーザ端末には参加要求受付の拒否が通知されない。そのため、ユーザ端末は、要求したマルチキャスト視聴不可の原因が、参加要求受付が拒否されたことが原因とは通知されず、ユーザは原因を切り分けることができない。これにより、そのため、不要なチャンネル切替によるマルチキャスト視聴要求の送信が増加し、IPネットワーク中継機器への負荷が増加する(文献「IPマルチキャスト放送の転送技術と技術課題http://www.ntt.co.jp/journal/0610/files/jn200610008.pdf」参照)。
【００１６】
本発明は、上記の点に鑑みなされたもので、マルチキャスト配信要求の受付が拒否された場合、破棄されたことを通知または代替映像コンテンツを配信することで、ユーザが送信したマルチキャスト受付要求が受け付けられなかった旨を送信元端末に通知することが可能な映像配信システム及びIPネットワーク機器及び映像配信プログラムを提供することを目的とする。
【課題を解決するための手段】
【００１７】
上記の課題を解決するため、本発明は、一般のインターネットプロトコル（IP）やATM、STM、電話網で接続されるネットワークにおいて、映像データが保存されている映像配信サーバと、IPネットワーク中継機器と、ユーザ端末とで映像配信サーバから映像データをダウンロードして閲覧する映像配信システムであって、
前記ユーザ端末は、
前記IPネットワーク中継機器に対してマルチキャスト配信要求を送信する要求送信手段と、
前記IPネットワーク中継機器からの情報を取得する通知取得手段と、
を有し、
前記IPネットワーク中継機器は、
前記マルチキャスト配信要求に対する受付可否の判定を行う受付可否判定手段と、
前記受付可否判定手段において受付を拒否すると判定された場合にのみ、前記映像配信サーバに対して、受付拒否通知用の配信要求を送信する配信要求手段と、
前記映像配信サーバから前記配信要求に対する受付拒否通知用の通知を取得すると、該受付拒否通知用の情報を前記ユーザ端末に送信する要求受付結果通知手段と、
前記受付可否判定手段において受付を拒否すると判定された場合には、記憶手段に格納されている受付拒否リストを更新し、更新された受付拒否リストを前記ユーザ端末に送信する受付拒否リスト送信手段と、
ユーザ毎に、配信を許可されているマルチキャストサービスのマルチキャストソースアドレス、マルチキャストグループアドレス、利用可能帯域情報及び配信要求の受付優先度を格納した関連情報記憶手段を任意のタイミングで参照し、前記マルチキャスト配信要求の受付を許可できる場合には、前記映像配信サーバに対して、マルチキャスト映像配信要求を送信し、取得したマルチキャスト映像データを前記ユーザ端末に配信するマルチキャスト映像データ配信手段と、
を有し、
前記映像配信サーバは、
前記IPネットワーク中継機器から前記マルチキャスト映像配信要求を受信し、該配信要求に対応するマルチキャスト映像データを該IPネットワーク中継機器に送信する通知配信手段を有する。
【発明の効果】
【００１８】
上述のように、本発明によれば、マルチキャスト受付判定の結果、マルチキャスト参加要求受付が拒否された場合、参加要求は中継ノードにて廃棄されたことを要求ユーザに通知することができ、ユーザのQoEの向上、ユーザからの個別問合せ対応稼動の低減、およびネットワーク負荷増大の抑止が期待できる。
【００１９】
このように、マルチキャスト配信要求の受付が拒否された場合、マルチキャスト視聴要求を送出する端末の処理に手を加えることなく、IPネットワーク中継機器の対応のみで受付拒否通知を実現することができる。
【図面の簡単な説明】
【００２０】
【図１】本発明の一実施の形態におけるネットワーク構成図である。
【図２】本発明の一実施の形態における各装置の構成図である。
【図３】本発明の第１の実施の形態における拒否通知用マルチキャスト配信のシーケンスチャートである。
【図４】本発明の第２の実施の形態における情報量を削減して配信するシーケンスチャートである。
【図５】本発明の第３の実施の形態における受付待ち情報を配信する処理のシーケンスチャートである。
【図６】本発明の第４の実施の形態におけるユーザ端末の選択受信のシーケンスチャートである。
【図７】マルチキャスト受付制御を説明するための図である。
【図８】従来のマルチキャスト受付制御のシーケンスチャートである。
【発明を実施するための形態】
【００２１】
以下図面と共に、本発明の実施の形態を説明する。
【００２２】
図１は、本発明の一実施の形態におけるネットワーク構成を示す。
【００２３】
同図に示すネットワークは、ユーザ端末１０、IPネットワーク中継機器２０、映像配信サーバ３０、帯域管理サーバ４０から構成され、IPネットワーク中継機器２０と映像配信サーバ３０、帯域管理サーバ４０は、IPネットワークを介して接続されている。
【００２４】
なお、同図に示すシステムでは、帯域管理サーバ４０も含む例を示しているが、以下の実施の形態では、帯域サーバ４０を用いない場合も想定する。
【００２５】
図２は、本発明の一実施の形態における各装置の構成を示す。
【００２６】
ユーザ端末１０は、マルチキャスト配信要求をIPネットワーク中継機器２０に送信する要求送信部１１、IPネットワーク中継機器２０を介して映像配信サーバ３０から送信されたマルチキャスト映像データを受信する映像データ受信部１２、受信した映像情報を選択する受信情報選択部１３から構成される。
【００２７】
IPネットワーク中継機器２０は、ユーザ毎のマルチキャスト関連情報を保持する関連情報記憶部２１、ユーザ端末１０からのマルチキャスト配信要求の受け付けの可否を判断する受付制御部２２、マルチキャスト帯域の管理を行う帯域管理部２３、ユーザ端末１０、映像配信サーバ３０、帯域管理サーバ４０とのセッション確立を制御するセッション確立部２４、映像配信サーバ３０から受信したマルチキャスト映像データを中継する映像データ中継部２５、マルチキャスト映像情報を削減する映像情報削減部２６から構成される。
【００２８】
上記の関連情報記憶部２１には、マルチキャスト関連情報として、
・ユーザのVLAN番号
・IPアドレス
・物理回線番号
・許可するマルチキャストサービスのソースアドレス
・許可するマルチキャストサービスのマルチキャストグループアドレス
・利用可能帯域
が予め格納されているものとする。
【００２９】
受付制御部２２では、図７に示すように、関連情報記憶部２１を参照して番組のマルチキャストソースアドレス（S）、マルチキャストグループアドレス（G）,（S,G)毎に予め設定された帯域設定の和、ユーザ毎に予め設定された最大マルチキャスト配信要求受付数の和を考慮して、配信要求の受付可否を判定する。この他に、後述するように帯域管理部２３に格納されている情報や、帯域管理サーバ４０がある場合には、帯域管理サーバ４０に問い合わせて得られる帯域情報に基づいて判定する方法もある。
【００３０】
映像配信サーバ３０は、マルチキャスト映像データを配信する映像データ配信部３１及びIPネットワーク中継機器２０から要求された通知を送信する通知配信部３２を有する。
【００３１】
帯域管理サーバ４０は、マルチキャスト帯域の管理を行うマルチキャスト帯域管理部４１、VoIP，VoD等の他のサービスの帯域を管理する他サービス帯域管理部４１を有し、IPネットワーク中継機器２０からの問い合わせに応じて帯域情報を提供する。
【００３２】
以下の各実施の形態を説明する。
【００３３】
[第1の実施の形態]
本実施の形態では、マルチキャスト受付拒否通知用のマルチキャストを配信する場合について説明する。本実施の形態の各装置構成は、図２の映像情報削減部２６を具備しない構成である。また、帯域管理サーバ４０を有する、または、有していない場合の双方について説明する。
【００３４】
図３は、本発明の第１の実施の形態における拒否通知用マルチキャスト配信のシーケンスを示す。
【００３５】
ユーザ端末１０の要求送信部１１からIPネットワーク中継機器２０に対してマルチキャスト配信要求を送信する（ステップ１０１）と、IPネットワーク中継機器２０は、当該配信要求のマルチキャスト受付制御を実施する（ステップ１０２）。ここでは、
（１）IPネットワーク構成として、管理サーバ４０とIPネットワーク中継機器２０が連携してマルチキャスト帯域管理を実施する方法：
（２）帯域管理サーバ４０と連携することなく、IPネットワーク中継機器２０の帯域管理部２３に予め設定された当該ユーザに配信を許可されているマルチキャストサービスのソースアドレスと、マルチキャストグループアドレスと、利用可能帯域に関する情報を用いてマルチキャスト帯域管理を実施する方法：
の２種類を想定する。
【００３６】
上記の（１）においては、受付制御部２２は、帯域管理サーバ４０に対して、ユーザリンクの残余帯域情報取得要求を送信する。帯域管理サーバ４０は、IPネットワーク中継機器２０に対して、残余帯域情報を送信し、受付制御部２２は、ユーザ端末１０から取得したマルチキャスト配信要求に必要な使用帯域を算出し、残余帯域情報と比較することにより、マルチキャスト受付制御によるマルチキャスト配信要求の受付可否判定を実施する(ステップ１０３)。受付判定の結果、マルチキャスト配信要求を廃棄することが決定した場合、IPネットワーク中継機器２０は、当該マルチキャスト配信要求を廃棄する(ステップ１０４)。この際、ユーザ端末１０にはマルチキャスト配信要求の受付がマルチキャスト受付制御によって拒否されたことは通知されない。
【００３７】
上記の（２）においては、ユーザ端末１０から送信されたマルチキャスト配信要求に含まれるマルチキャストソースアドレスと、マルチキャストグループアドレスと、ユーザ端末１０のIPアドレスに関する情報に基づいて、受付制御部２２において、帯域管理部２３で管理されている情報を参照してマルチキャスト受付制御を実施する。
【００３８】
上記のマルチキャスト受付制御を行うために、帯域管理部２３では、以下のいずれかのぜ管理を行う。
【００３９】
ａ）帯域管理部２３では、映像配信サーバ３０から配信されるデータを測定または監視し、当該IPネットワーク中継機器２０で転送できる最大の転送帯域、または、pps(Packet per Second)、または、映像配信数を管理する。
【００４０】
ｂ）転送される映像データのセッション毎の帯域、または、ppsをカウンタでカウントし管理する。
【００４１】
ｃ）転送される映像データのセッション毎に重みを設定し、その重みの合計値を計算する。
【００４２】
当該（２）の方法では、受付制御部２２は、関連情報記憶部２１に格納されているユーザ毎に配信を許可されているマルチキャストサービスのソースアドレスと、マルチキャストグループアドレスと、利用可能帯域に関する情報に基づいて、帯域管理部２３を参照し、上記のａ），ｂ），ｃ）のいずれかの数値が予め設定された値を超過する場合には、マルチキャスト配信要求を拒否する。
【００４３】
以上により、IPネットワーク中継機器２０の受付制御部２２は、マルチキャスト受付制御を実施し、当該配信要求の受付可否を判断する（ステップ１０３）。
【００４４】
マルチキャスト受付判定の結果、マルチキャスト配信要求を廃棄することが決定された場合、受付制御部２２は、当該マルチキャスト配信要求を廃棄する(ステップ１０４)。この時点ではユーザ端末１０にはマルチキャスト配信要求の受付が受付制御部２２によって拒否されたことは通知されない。
【００４５】
上記の２種類のいずれかの方法によるマルチキャスト受付制御による受付可否判断結果を受け、受付制御部２２は、映像配信サーバ３０に対して、受付拒否通知用のマルチキャスト配信要求を送信する(ステップ１０５)。このときのマルチキャスト配信要求に含まれる情報は、
・受付拒否通知用トラフィックのソースアドレス
・受付拒否通知用トラヒックのマルチキャストグループアドレス
・ユーザ端末のIPアドレス
である。
【００４６】
これを受け、映像配信サーバ３０は、IPネットワーク中継機器２０に対して、映像データとは別トラフィックで受付拒否通知用のマルチキャストを配信する(ステップ１０６)。
【００４７】
但し、IPネットワーク中継機器２０が既に、映像配信サーバ３０より受付拒否通知用のマルチキャストを受信している場合には、IPネットワーク中継機器２０は、映像配信サーバ３０に対して、新規配信要求を実施せず、既に受信している受付拒否通知用のマルチキャストのマルチキャストコピーを実施する。
【００４８】
IPネットワーク中継機器２０は、受付制御部２２において、拒否判定されたユーザ端末１０に対して受付拒否通知用のマルチキャスト映像データを配信する（ステップ１０７）。ここで、受付拒否通知用のマルチキャスト映像データとは、例えば、受付ができない旨が表示される等のデータを指す。
【００４９】
これにより、マルチキャスト参加要求受付が拒否された場合、ユーザ端末１０はIPネットワーク中継機器２０で廃棄されたことが要求ユーザに通知される。
【００５０】
[第２の実施の形態]
本実施の形態では、IPネットワーク中継機器２０において、マルチキャスト受付拒否対象の配信要求に対して低情報量の映像データを配信する場合を説明する。本実施の形態における装置は図２に示す構成であり、IPネットワーク中継機器２０の関連情報記憶部２１に格納される情報も第１の実施の形態と同様であるとする。
【００５１】
図４は、本発明の第２の実施の形態における情報量を削減して配信するシーケンスチャートである。
【００５２】
ユーザ端末１０からIPネットワーク中継機器２０に対して、マルチキャスト配信要求を送信する(ステップ２０１)。IPネットワーク中継機器２０では、第１の実施の形態と同様の方法でマルチキャスト受付制御を実施する。
【００５３】
IPネットワーク中継機器２０の受付制御部２２での受付判定の結果、マルチキャスト配信要求を廃棄することが決定した場合(ステップ２０３)、IPネットワーク中継機器２０は当該マルチキャスト配信要求を廃棄する(ステップ２０４)。この時点ではユーザ端末１０にはマルチキャスト配信要求の受付がマルチキャスト受付制御によって拒否されたことは通知されない。
【００５４】
上記を受け、IPネットワーク中継機器２０は、映像配信サーバ３０に対して、ユーザ端末１０から受信したマルチキャスト配信要求に相当するマルチキャスト配信要求を映像配信サーバ３０に送信する（ステップ２０５）。
【００５５】
なお、映像配信サーバ３０からIPネットワーク中継機器２０に対して、既に当該マルチキャストソースアドレス、およびマルチキャストグループアドレスの映像データが配信されている場合は、新規にマルチキャスト配信要求は送信しないものとし、IPネットワーク中継機器２０においてマルチキャストパケットを複製することでユーザリンク向けに配信するものとする。
【００５６】
映像配信サーバ３０は、マルチキャスト配信要求に対応するマルチキャスト映像データをIPネットワーク中継機器２０に送信する（ステップ２０６）。IPネットワーク中継機器２０の映像情報削減部２６は、受信したマルチキャスト映像データの情報量を削減し(ステップ２０７)、ユーザ端末１０に対して、情報量を低減した映像データを配信する(ステップ２０８)。ここで、情報量を削減する方法としては、例えば、受信したマルチキャスト映像データから音声データのみを抽出して送信する方法や、低品質の映像データを伝送する低帯域のユーザリンクを使用して配信する等の方法がある。
【００５７】
［第３の実施の形態］
本実施の形態では、マルチキャスト受付判定順をユーザ端末１０に配信し、拒否された順に配信要求を処理する場合について説明する。
【００５８】
本実施の形態における装置構成は図２に示す通りであり、IPネットワーク中継機器２０の関連情報記憶部２１に格納される情報も第１の実施の形態と同様であるとする。また、本実施の形態では、受付制御部２２内にメモリ等の記憶部を用意し、受付拒否リストを生成し、格納するものとする。受付拒否リストとして格納される情報は、マルチキャスト配信要求を拒否したユーザ端末の情報であり、ユーザ端末のＩＰアドレス、当該ユーザ端末が収容されているVLAN番号、及び物理回線番号等である。
【００５９】
また、本実施の形態では、帯域管理部２３において、第1の実施の形態で示した情報以外に、受付優先度も管理する。
【００６０】
図５は、本発明の第３の実施の形態における受付待ち情報を配信する処理のフローチャートである。
【００６１】
ユーザ端末１０からIPネットワーク中継機器２０に対してマルチキャスト配信要求を送信する（ステップ３０１）。IPネットワーク中継機器２０では、第１の実施の形態と同様の方法でマルチキャスト受付制御を実施する（ステップ３０２）。
【００６２】
IPネットワーク中継機器２０の受付制御部２２において、受付判定の結果、マルチキャスト配信要求を廃棄することが決定した場合（ステップ３０３）、IPネットワーク中継機器２０は当該マルチキャスト配信要求を廃棄する（ステップ３０４）。この時点では、ユーザ端末１０にはマルチキャスト配信要求の受付がマルチキャスト受付制御によって拒否されたことは通知されない。
【００６３】
上記を受け、IPネットワーク中継機器２０は、受付制御部２２のメモリ（図示せず）内の配信要求されているサービスクラス毎の受付拒否リストを更新し（ステップ３０５）、マルチキャスト受付判定順に当該ユーザ端末１０の送信元情報（ユーザ端末のIPアドレスや、マルチキャストソースアドレスや、マルチキャストグループアドレスなど）を新規登録する。IPネットワーク中継機器２０はユーザ端末１０に対して、受付拒否リスト情報を配信する（ステップ３０６）。ここで、受付拒否リストとして送信されるのは、サービスクラス、当該サービスクラス内の優先度、輻輳情報等であり、当該サービスクラス内の優先度及び輻輳情報は、帯域管理部２３や帯域管理サーバ４０から取得するものとする。
【００６４】
IPネットワーク中継機器２０は、下記のいずれかの方法で、マルチキャスト配信要求の受付が許可できるタイミングを監視する。
【００６５】
（方法１）IPネットワーク中継機器２０は帯域管理サーバ４０に対して、定期的に残余帯域情報取得要求を送信し（ステップ３０７）、帯域管理サーバ４０はIPネットワーク中継機器２０に対して残余帯域情報を送信する（ステップ３０８）。これにより、当該マルチキャスト配信要求の受付を許可できるユーザリンク状況を定期監視することで、定期的にマルチキャスト受付制御を実施し、当該マルチキャスト配信要求の受付を許可できるタイミングを監視する。
【００６６】
（方法２）IPネットワーク中継機器２０は、当該マルチキャスト配信要求の対象となるサービスクラスにおいて、当該配信要求の受付優先度を関連情報記憶部２１内に保持する。最上位の受付優先度の配信要求について、定期的にマルチキャスト受付判定を実施し（ステップ３０９）、当該マルチキャスト配信要求の受付を許可できるタイミングを監視する。
【００６７】
上記のいずれかの方法による定期監視状況を受け、IPネットワーク中継機器２０の受付制御部２２におけるマルチキャスト受付制御による要求受付判定の結果、許可された場合は、優先度に基づいて、映像配信サーバ３０に対してマルチキャスト配信要求を送信し（ステップ３１０）、映像配信サーバ３０はIPネットワーク中継機器２０に対してマルチキャスト映像データを配信する（ステップ３１１）。
【００６８】
IPネットワーク中継機器２０はユーザ端末１０に対して、マルチキャスト映像データを配信する(ステップ３１２)。
【００６９】
なお、上記の実施の形態では、優先度に基づいて映像配信サーバ３０に配信要求を行う例を示しているが、優先度を用いずに、ユーザ端末のマルチキャスト配信要求を受け付けた順に映像配信サーバに配信要求を送信するようにしてもよい。
【００７０】
[第４の実施の形態]
本実施の形態では、ユーザ端末１０において上記の第１〜第３の実施の形態におけるいずれかによる選択受信を行う方法について説明する。
【００７１】
本実施の形態では、ユーザ端末１０は、受信情報選択部１３を利用する。
【００７２】
図６は、本発明の第４の実施の形態におけるユーザ端末の選択受信のシーケンスチャートである。
【００７３】
ユーザ端末１０からIPネットワーク中継機器２０に対してマルチキャスト配信要求を送信する（ステップ４０１）IPネットワーク中継機器２０では、第１の実施の形態と同様の方法でマルチキャスト受付制御を実施する（ステップ４０２）。
受付判定の結果、マルチキャスト配信要求を廃棄することが決定した場合（ステップ４０３）、IPネットワーク中継機器２０は当該マルチキャスト配信要求を廃棄する（ステップ４０４）。この時点ではユーザ端末２０にはマルチキャスト配信要求の受付がマルチキャスト受付制御によって拒否されたことは通知されない。
【００７４】
上記を受け、IPネットワーク中継機器２０はユーザ端末１０に対して、受信情報の選択要求を送信する（ステップ４０５）。ユーザ端末１０はIPネットワーク中継機器２０に対して、受信情報の選択結果を送信する（ステップ４０６）。IPネットワーク中継機器２０はユーザ端末１０から受信した受信情報の選択結果を受けて、前述の第１〜第３の実施の形態のいずれかを実施する(ステップ４０７)。
【００７５】
例えば、第１の実施の形態による方法が選択された場合には、IPネットワーク機器２０は、図３に示すステップ１０５以降の処理を実施する。第２の実施の形態による方法が選択された場合には、図４に示すステップ２０５以降の処理を実施する。第３の実施の形態による方法が選択された場合には、図５に示すステップ３０５以降の処理を実施する。
【００７６】
なお、上記の各実施の形態におけるユーザ端末１０、IPネットワーク中継機器２０、映像配信サーバ３０、帯域サーバ４０の動作をプログラムとして構築し、これらの装置として利用されるコンピュータにインストールして実行させる、または、ネットワークを介して流通させることが可能である。
【００７７】
本発明は、上記の実施の形態に限定されることなく、特許請求の範囲内において種々変更・応用が可能である。
【符号の説明】
【００７８】
１０  ユーザ端末
１１  要求送信部
１２  映像データ受信部
１３  受信情報選択部
２０  IPネットワーク中継機器
２１  関連情報記憶部
２２  受付制御部
２３  帯域管理部
２４  セッション確立部
２５  映像データ中継部
２６  映像情報削減部
３０  映像配信サーバ
３１  映像データ配信部
３２  通知配信部
４０  帯域管理サーバ
４１  マルチキャスト帯域管理部
４２  他サービス帯域管理部
【図１】
0005749516.tif 000002
【図２】
0005749516.tif 000003
【図３】
0005749516.tif 000004
【図４】
0005749516.tif 000005
【図５】
0005749516.tif 000006
【図６】
0005749516.tif 000007
【図７】
0005749516.tif 000008
【図８】
0005749516.tif 000009